(57)【特許請求の範囲】
【請求項１】
指向性を有する超音波マイクロホンと、該超音波マイクロホンで検出した電気信号を処理する信号処理回路と、該信号処理回路で処理した信号を可視的にかつ／あるいは可聴的に出力する出力部と、少なくとも前記超音波マイクロホンが配設されるプローブと、該プローブに配設される照星かつ／あるいは照門からなる照準器と、を具備した、超音波漏洩検出装置。
【発明の詳細な説明】
【０００１】
【発明の属する技術分野】
本発明は、プラントや工場などにおいて数多く設置されている流体配管系や密閉された容器体等の各種設備の漏洩位置を探知するときに用いる超音波漏洩検出装置に関する。
【０００２】
プラントや工場などの設備においては、最少の消費エネルギーで最大の生産量を得ると共に最高の生産品質を維持するために、漏洩の有無を定期的に検出することが非常に重要となる。設備に漏洩が生じると、漏洩個所から超音波が発生するので、この超音波を指向性を有する超音波マイクロホンを用いた超音波漏洩検出装置で検出することにより、漏洩位置を探知することができる。
【０００３】
【従来の技術】
従来の超音波漏洩検出装置は、例えば特開平７−２５３３７７号公報に示されている。ここに開示された超音波漏洩検出装置は、携帯型のプローブに、指向性を有する超音波マイクロホンと、該超音波マイクロホンで検出した電気信号を処理する信号処理回路と、該信号処理回路で処理した信号を可視的に出力する出力部と、を配設したものである。
【０００４】
この超音波漏洩検出装置は、プローブを片手で把持し、プローブの向きを徐々に変化させて、すなわち、指向性を有する超音波マイクロホンの指向方向を徐々に変化させて使用する。測定すべき設備から流体が外部に漏洩している場合には、超音波マイクロホンの指向方向が漏洩位置の方向に近づいたときに、漏洩位置から放射される超音波が超音波マイクロホンによって電気信号として検出され、この電気信号が信号処理回路で増幅等処理されて出力部に可視的に出力される。そして、超音波マイクロホンの指向方向が漏洩位置と一致したときに出力部の出力値が最大になるので、このときの超音波マイクロホンの指向方向により漏洩位置を探知することができる。
【０００５】
【本発明が解決しようとする課題】
上記従来技術の超音波漏洩検出装置は、出力部の出力値が最大になったときの超音波マイクロホンの指向方向を目測により確認するものであるので、超音波マイクロホンの指向方向を確認する視野が広く、漏洩位置を素早く探知できない問題点があった。従って本発明の技術的課題は、漏洩位置を素早く探知できる超音波漏洩検出装置を提供することである。
【０００６】
【課題を解決するための手段】
上記の技術的課題を解決するために講じた本発明の技術的手段は、指向性を有する超音波マイクロホンと、該超音波マイクロホンで検出した電気信号を処理する信号処理回路と、該信号処理回路で処理した信号を可視的にかつ／あるいは可聴的に出力する出力部と、少なくとも前記超音波マイクロホンが配設されるプローブと、該プローブに配設される照星かつ／あるいは照門からなる照準器と、を具備した、超音波漏洩検出装置にある。
【０００７】
【発明の実施の形態】
上記の本発明の技術的手段によれば、プローブに配設される照星かつ／あるいは照門からなる照準器によって、超音波マイクロホンの指向方向を確認する視野を絞り込むことができ、漏洩位置を素早く探知することができる。
【０００８】
【実施例】
以下、添付図面を参照して本発明の実施例を説明する。図１に本発明の超音波漏洩検出装置の外観図を示し、図２に本発明の超音波漏洩検出装置の電気的回路のブロック図を示し、図３に図１のＡ−Ａ端面図を示し、図４に図１のＢ−Ｂ端面図を示す。超音波漏洩検出装置１のプローブ２はピストル形状で、縦断面が楕円形の上部３と、横断面がほぼ四角形の下部４と、から成る。下部４の外径は片手で把持できる程度の大きさである。
【０００９】
上部３の左端部５に、図３に示すように、測定すべき設備から発せられる超音波を検出するための指向性を有する６個の超音波マイクロホン７を配設する。６個の超音波マイクロホン７のそれぞれは正六角形の頂点に位置する。
【００１０】
上部３の右側部の外周上部に開口３２を有する照門３１を形成し、上部３の左側部の外周上部に開口３４を有する照星３３を形成する。照門３１及び照星３３によって照準器を形成する。照準器は照門３１と照星３３のいずれか一方によって形成してもよい。
【００１１】
プローブ２内に、信号処理回路１４を配設する。上部３の右端面１５に、図４に示すように、信号処理回路１４で処理した信号を可視的に表示するための液晶パネル構成等の表示部１６と、複数の押しボタンキー構成の操作部１７と、を配設する。下部４の左上端部に電源スイッチ１８を配設する。上部３に信号処理回路１４で処理した信号をヘッドホン１９等に可聴的に出力するための出力端子２０と、パソコン２１等と連結するための入出力端子２２と、を配設する。
【００１２】
信号処理回路１４は増幅部２３とフィルタ部２４と検波部２５と整流部２６とオートボリュームコントロール部２７とレーザ駆動部２８と記憶部２９及びＣＰＵ（中央演算処理部）３０とからなる。超音波マイクロホン７は、増幅部２３、フィルタ部２４、検波部２５、整流部２６、ＣＰＵ３０を通して表示部１６に連結する。また検波部２５及びＣＰＵ３０は、オートボリュームコントロール部２７、出力端子２０を通してヘッドホン１９に連結する。ＣＰＵ３０は、入出力端子２２を通してパソコン２１と連結する。またＣＰＵ３０に操作部１７を連結する。
【００１３】
測定すべき設備の漏洩位置検出に際して、プローブ２の下部４を片手で把持し、例えば人差指で電源スイッチ１８を押してオン状態にする。そして、プローブ２の上部３の左端部５側を設備の方向に向け向きを徐々に変化させることにより、指向性を有する超音波マイクロホン７の指向方向を徐々に変化させる。測定すべき設備から流体が漏洩している場合には、超音波マイクロホン７の指向方向が漏洩位置の方向に近づいたときに、漏洩位置から放射される超音波が超音波マイクロホン７によって電気信号として検出され、信号処理回路１４に送られる。
【００１４】
この超音波マイクロホン７によって検出された電気信号は、増幅部２３で増幅され、フィルタ部２４を通して検波部２５で検波され、整流部２６で整流され、ＣＰＵ３０で処理されて表示部１６に表示される。また検波部２４で検波された電気信号は、オートボリュームコントロール部２７で一定以上の信号が絞られて出力端子２０を通してヘッドホン１９に出力される。このオートボリュームコントロール部２６により、突然のエアーブローなどによる異常音から耳を守ることができる。超音波マイクロホン７の指向方向が漏洩位置と一致すると、表示部１６及びヘッドホン１９の出力値が最大となるので、このときの超音波マイクロホン７の指向方向を照門３１及び照星３３からなる照準器で確認することにより漏洩位置を素早く探知することができる。
【００１５】
【発明の効果】
本発明は下記の特有の効果を生じる。
上記のように本発明によれば、プローブに配設される照星かつ／あるいは照門からなる照準器によって視野を絞り込むことができるので、漏洩位置を素早く探知することができる超音波漏洩検出装置を提供することができる。
【図面の簡単な説明】
【図１】本発明の超音波漏洩検出装置の実施例を示す外観図。
【図２】本発明の超音波漏洩検出装置の電気的回路を示すブロック図。
【図３】図１のＡ−Ａ断面図。
【図４】図１のＢ−Ｂ断面図。
【符号の説明】
１  超音波漏洩検出装置
２  プローブ
７  超音波マイクロホン
１４  信号処理回路
１６  表示部
１７  操作部
１８  電源スイッチ
１９  ヘッドホン
２１  パソコン
２３  増幅部
２４  フィルタ部
２５  検波部
２６  整流部
２７  オートボリュームコントロール部
２８  レーザ駆動部
２９  記憶部
３０  ＣＰＵ
３１  照門
３３  照星
【図１】
0004342738.tif 000002
【図２】
0004342738.tif 000003
【図３】
0004342738.tif 000004
【図４】
0004342738.tif 000005